(57)【要約】【課題】ボルトを用いて物品を締結するためのナットの代わりに用いることができ、低コストで、確実に、容易に締付けおよび取り外しができる締結用部材を提供する。【解決手段】内面に一部雌ねじ部が設けられた半筒状の樹脂製のナット部材と、該ナット部材を内包する樹脂製のケースからなり、前記ナット部材に対する前記ケースの軸方向移動により、前記ボルトの雄ねじ部を前記ナット部材の雌ねじ部と前記ケースの前記雌ねじ部と対向する内面で挟持係合する位置と、挟持係合が解除される位置に変更できる手段と、前記ナット部材に対する前記ケースの軸方向位置が、前記挟持係合が解除される位置に保持するための手段と、前記ケースのねじり回転に伴って、前記ナット部材がねじり回転されるための回転規制手段と、を前記ナット部材と前記ケースの間に備えた。【選択図】図３
2011179520.tif 000002
【特許請求の範囲】
【請求項１】
ボルトの雄ねじ部に係合させる締結用部材において、内面に一部雌ねじ部が設けられた半筒状の樹脂製のナット部材と、該ナット部材を内包する樹脂製のケースからなり、前記ナット部材に対する前記ケースの軸方向移動により、前記ボルトの雄ねじ部を前記ナット部材の雌ねじ部と前記ケースの前記雌ねじ部と対向する内面で挟持係合する位置と、挟持係合が解除される位置に変更できる手段と、前記ナット部材に対する前記ケースの軸方向位置が、前記挟持係合が解除される位置に保持するための手段と、前記ケースのねじり回転に伴って、前記ナット部材がねじり回転されるための回転規制手段と、を前記ナット部材と前記ケースの間に備えたことを特徴とする締結用部材。
【請求項２】
請求項１記載の締結用部材において、前記ナット部材に対する前記ケースの軸方向位置が、前記挟持係合が解除される位置にある時、前記ナット部材の雌ねじ部（内径部分）と前記ケースの前記雌ねじ部と対向する内面の間に前記ボルトの雄ねじ部が通る空間を確保できるように付勢する手段を前記ナット部材と前記ケースの間に備えたことを特徴とする締結用部材。
【請求項３】
請求項１記載の締結用部材において、前記ナット部材と前記ケースを分離させないための手段を前記ナット部材と前記ケースの間に備えたことを特徴とする締結用部材。
【請求項４】
請求項１記載の締結用部材において、前記ナット部材に対する前記ケースの軸方向位置が、増し締め作業位置に保持するための手段を前記ナット部材と前記ケースの間に備えたことを特徴とする締結用部材。
【発明の詳細な説明】
【技術分野】
【０００１】
本発明は、ボルトを用いて物品を締結するためのナットの代わりに用いることができ、容易に締付けおよび取り外しができる締結用部材に関するものである。
【背景技術】
【０００２】
通常のボルトとナットは、ナットをボルトの端から最終締結位置までナットを回転させて締付ける必要があり、特にボルトが長い場合、締付には、大きな手間を要する。逆に最終締結位置からナットを外す場合も、特にボルトが長い場合、ゆるめ作業には、大きな手間を要する。また、通常のボルトとナットは、雄ねじと雌ねじをかみ合わせる必要があるが、狭い空間での作業時等は、かみ合わせ作業も容易ではない。
【０００３】
この問題点に関し、ボルトに対し、ナットの代わりとなる締結用部材を最終締結位置付近まで押し込んだ後、容易に雄ねじと雌ねじをかみ合わせることができ、かつ、少回転の増し締めで締結が完了し、逆にゆるめる時は、少回転のゆるめ作業の後、引き抜くことにより、締結用部材をボルトから取り外すことができる技術は、特許文献１に、「便座又はロータンク側から便器の挿通孔に挿通したボルトの雄ねじ部に係合させる連結用クリップにおいて、内周面に前記雄ねじ部と螺合する雌ねじを形成し、外周面にピンを突出しているとともに、離接可能に連結される少なくとも２つ以上の半筒状のナット片からなるナットと、前記各ナット片の内側に配置されて、前記各ナット片の前記雌ねじを前記ボルトの雄ねじ部に螺合する係合位置から、前記各ナット片を互いに離間して前記螺合を解除する非係合位置の方向へ移動可能に付勢しておくための付勢手段と、略筒状からなり、周面に設けられて前記ピンと摺動自在に係合するカム溝として、軸方向である上下へ延びる第１のカム溝及び該第１のカム溝の下端からラジアル方向へ延びる第２のカム溝を有し、筒内に挿入される前記ナットに対し前記ピンと前記第１のカム溝との係合を介して軸上方向へ移動されて前記付勢手段の付勢に抗して前記各ナット片を前記非係合位置から前記係合位置に切り換え、かつ、移動後に回転されて前記ピンが第１のカム溝の下端から前記第２のカム溝内に配置されることにより軸方向の移動が阻止されるケースとを備えていることを特徴とする連結用クリップ。」として開示されている。
【先行技術文献】
【特許文献】
【０００４】
【特許文献１】特許第３５９４３８０号公報
【発明の概要】
【発明が解決しようとする課題】
【０００５】
しかしながら、通常のボルトとナットであれば、ボルト以外に基本１部品（ナット）で用をなすが、特許文献１の図の例では、ボルト以外に基本４部品が必要であり、高コストであるという問題点があった。
【０００６】
また、特許文献１の例では、ゆるめる時、カム機構が解除される前にねじの締結力（軸力）が抜けると、カム機構が解除できなくなり、結局、締結用部材（連結用クリップ）を最終締結位置から締結用部材（連結用クリップ）が外れるまで回しゆるめなくてはならないという問題点があった。
そこで、本発明の目的は、少ない部品で、締結作業とゆるめ作業が確実に容易にできる締結用部材を提供することにある。
【課題を解決するための手段】
【０００７】
上記課題を解決するため、本発明の締結用部材は、ボルトの雄ねじ部に係合させる締結用部材において、内面に一部雌ねじ部が設けられた半筒状の樹脂製のナット部材と、該ナット部材を内包する樹脂製のケースからなり、前記ナット部材に対する前記ケースの軸方向移動により、前記ボルトの雄ねじ部を前記ナット部材の雌ねじ部と前記ケースの前記雌ねじ部と対向する内面で挟持係合する位置（以下挟持係合位置と言う。）と、挟持係合が解除される位置（以下挟持係合解除位置と言う。）に変更できる手段と、前記ナット部材に対する前記ケースの軸方向位置が、前記挟持係合解除位置に保持するための手段と、前記ケースのねじり回転に伴って、前記ナット部材がねじり回転されるための回転規制手段と、を前記ナット部材と前記ケースの間に備えたことを特徴としている。
上記構成によれば、ボルトに対し、ナットの代わりとなる締結用部材を最終締結位置付近まで挿入した後、前記ケースを増し締め作業位置まで押し込むことにより、容易に雄ねじと雌ねじをかみ合わせることができ、かつ、少回転の増し締めで締結が完了し、逆にゆるめる時は、少回転のゆるめ作業の後、前記ケースを挟持係合解除位置まで引き抜くことにより、容易に締結用部材をボルトから引き抜くことができ、少ない部品で、締結作業とゆるめ作業が確実に容易にできる。
【０００８】
また、本発明の締結用部材は、前記ナット部材に対する前記ケースの軸方向位置が、前記挟持係合解除位置にある時、前記ナット部材の雌ねじ部（内径部分）と前記ケースの前記雌ねじ部と対向する内面の間に前記ボルトの雄ねじ部が通る空間を確保できるように付勢する手段を前記ナット部材と前記ケースの間に備えたことを特徴としている。
上記構成によれば、前記ボルトに対し、前記締結用部材を最終締結位置付近まで挿入する時、雄ねじと雌ねじのひっかかりを低減でき、より容易に、締結作業ができる。逆に、最終締結位置から前記締結用部材を引抜く時も、雄ねじと雌ねじのひっかかりを低減でき、より容易に、ゆるめ作業ができる。
【０００９】
さらに、本発明の締結用部材は、前記ナット部材と前記ケースを分離させないための手段を前記ナット部材と前記ケースの間に備えたことを特徴としている。
上記構成によれば、ゆるめ作業時、最終締結位置から前記締結用部材を引き抜く時に、ナット部材がケースから抜け落ちることがない。また、締結に使用していない場合も分離せず、組み間違える恐れがない。
【００１０】
さらに、本発明の締結用部材は、前記ナット部材に対する前記ケースの軸方向位置が、前記増し締め作業位置に保持するための手段を前記ナット部材と前記ケースの間に備えたことを特徴としている。
上記構成によれば、仮に何らかの原因で締結力（軸力）が抜けても、前記ケースは前記ボルトと係合した前記ナット部材から自然に抜け落ちることがない。
【発明の効果】
【００１１】
本発明によれば、少ない部品で、締結作業とゆるめ作業が確実に容易にできる締結用部材が提供できる。
【図面の簡単な説明】
【００１２】
【図１】本発明の締結用部材の挟持係合解除位置での組立状態の正面図、平面図、下平面図である。
【図２】本発明の締結用部材の増し締め作業位置での組立状態の正面図、平面図、下平面図である。
【図３】図１のＡＡ断面図、ＢＢ断面図である。
【図４】図２のＣＣ断面図、ＤＤ断面図である。
【発明を実施するための形態】
【００１３】
次に本発明の好適な実施形態を図面を参照して説明する。
図１、図２、図３、図４に示すように、本発明の締結用部材は樹脂製のナット部材１０と樹脂製のケース２０からなり、被締結部材２、３をボルト１と本発明の締結用部材とで締結している。なお、ボルト１は、被締結部材２に対し、何らかの方法で回転規制、軸方向の動きの規制がされているものとする。
ナット部材１０は、内面に一部雌ねじ部１１が設けられた半筒状形状を基本とし、締結時の被締結部材３との当接部分となる座部１２、挟持係合位置と挟持係合解除位置を切り替えるための平面１３、１４、斜面１５、ナット部材１０に対するケース２０の軸方向位置を挟持係合解除位置に保持するための溝１６Ａ、ケース２０のねじり回転に伴って、ナット部材１０がねじり回転されるための回転規制手段となる平面１７を備える。
ケース２０はナット部材１０を内包する筒状形状を基本とし、ボルト１の雄ねじ部をナット部材１０の雌ねじ部１１と合わせて挟持係合するための雌ねじ部１１と対向する内面２１、挟持係合位置と挟持係合解除位置を切り替えるための平面２２、２３、斜面２４、２５、ナット部材１０に対するケース２０の軸方向位置を挟持係合解除位置に保持する手段等になる弾性部２６とツメ２７、ケース２０のねじり回転に伴って、ナット部材１０がねじり回転されるための回転規制手段となる内側平面２８を備える。なお、ケースの内面２１は挟持係合位置で、ボルト１の外径部分が当接するような寸法に寸法設定されていて、図では円筒面であるが、平面その他の面形状でもよい。また、図では、座部１２はＣ字形形状であるが、リング形形状でもよい。
【００１４】
図３に示すように、ナット部材１０とケース２０が挟持係合解除位置にある時は、ボルト１の挿入時、ケース２０は、ナット部材１０の平面１３がケース２０の平面２２に当接するまでナット部材１０に対して後退しており、ねじがかむことなく最終締結位置付近までボルト１に挿入できる。これは、図３ＡＡ断面図でナット部材１０の中心線とケース２０の中心線がずれる位置までナット部材１０が図中右に動いた状態であることによる。この時、ナット部材１０の溝１６Ａとケースの弾性部２６の先端のツメ２７の係合により、ナット部材１０とケース２０の挟持係合解除位置が保持される。
【００１５】
ナット部材１０とケース２０が挟持係合解除位置にあるように保持したまま座部１２が被締結部材３に当接するまでボルト１に挿入し、さらにケース２０を押し込むとケース２０の斜面２４、２５、ナット部材１０の斜面１５により、ナット部材１０の雌ねじ部１１は雌ねじ部１１と対向するケースの内面２１に、斜面２４、２５、１５の高さ分だけ引き寄せられ、ボルト１の雄ねじがケース２０の内面２１と雌ねじ部１１の雌ねじにより挟持係合される。図４に示すように、さらに、ケース２０を先端がナット部材１０の座部１２に当接するまで押し込んだ後、ケース２０をねじ締め方向に回転（増し締め）すると、ケース２０の内側平面２８とナット部材の平面１７の当接とケース２０の平面２２とナット部材１０の平面１４の当接により、ケース２０とナット部材１０はほぼ一体化されているので、ナット部材１０もねじ締め方向に回転し、締結が完了する。
【００１６】
ここで、本発明の締結用部材とボルト１との嵌合状態であるが、ボルト１とナット部材１０の雌ねじ部１１により、通常の締結力（軸力）が発生するが、ねじ山によりボルト１とナット部材１０の雌ねじ部１１を引き離そうとする力が発生し、この力をケース２０の内面２１とケース２０の平面２２で受けることになり、前記締結力（軸力）が発生した状態では、ケース２０を引き抜こうとしても、ボルト１とケース２０との摩擦力、およびナット部材１０とケース２０との摩擦力により、（ボルト１と係合された）ナット部材１０から、容易には引き抜けない。ボルト１が断面ノコギリ形状であるのでなおさら引き抜きは困難である。
【００１７】
本発明の締結用部材をボルト１から取り外す場合は、逆の手順を行えばよい。ケース２０をねじゆるめ方向に少し回転すると、ナット部材１０もねじゆるめ方向に回転し、前記締結力（軸力）が無くなる。前記締結力（軸力）が無くなると、前記ねじ山によるボルト１とナット部材１０の雌ねじ部１１を引き離そうとする力も無くなり、小さい力でケース２０をナット部材１０から引き抜き方向に動かすことができる。ケース２０を引き抜き方向に動かして、ナット部材１０とケース２０が挟持係合解除位置になると、ナット部材１０は平面１３がケース２０の平面２２に当接するまで後退できるので、ナット部材の雌ねじ部（内径部分）とケース２０の雌ねじ部と対向する内面２１の間にボルトの雄ねじ部が通る空間が確保でき、容易に本発明の締結用部材をボルト１から引き抜くことができる。（請求項１）
【００１８】
ナット部材１０の弾性部１８と凸部１９は、ナット部材１０に対するケース２０の軸方向位置が、挟持係合解除位置にある時、ナット部材１０の雌ねじ部（内径部分）とケース２０の雌ねじ部と対向する内面２１の間にボルト１の雄ねじ部が通る空間を確実に確保できるように付勢する手段としてある。図３のように、挟持係合解除位置にある時は、凸部１９はケース２０の内側平面２８に当接し、ナット部材１０の雌ねじ部（内径部分）とケース２０の雌ねじ部と対向する内面２１の間にボルト１の雄ねじ部が通る空間を確実に確保できる。また、ケース２０の凹部２９はケース２０の挿入方向に内側平面２８が一部陥没したような形で設けられており、増し締め作業位置にある時に、凸部１９がケース２０の凹部２９に入り込み、弾性部１８に無理な応力がかからないようにするためのものである。（請求項２）
【００１９】
ナット部材１０の溝部１６Ａとケース２０の弾性部２６の先端のツメ２７は、ナット部材１０に対するケース２０の挿入軸方向位置が、挟持係合解除位置にある時、嵌合する位置に設けられており、ナット部材１０の軸とほぼ直交する面で当接する形状になっているため、ケース２０をナット部材１０から引き抜こうとしても、前記当接する面が引っ掛かり、容易には抜けない。また、逆方向もナット部材１０の座部１２があり、抜くことはできない。上記構成により、ゆるめ作業時、最終締結位置から本発明の締結用部材を引抜く時に、ナット部材１０がケース２０から抜け落ちることがない。また、締結に使用していない場合も分離せず、組み間違える恐れがない。（請求項３）
【００２０】
本発明の締結用部材が自然にゆるんだり、また、最初から締付が甘かったりすると、前記本発明の締結用部材をボルト１から取り外す場合の手順と同じように、前記締結力（軸力）が無くなり、前記ねじ山によるボルト１とナット部材１０の雌ねじ部１１を引き離そうとする力も無くなるので、小さい力でケース２０を引き抜き方向に動かすことができ、仮にケース２０が下方にある場合はケース２０が重力により自然落下する可能性がある。ナット部材１０の溝１６Ｂとケース２０の弾性部２６の先端のツメ２７は、増し締め作業位置にある時、嵌合する位置にあり、本発明の締結用部材が自然にゆるんだりしても、前記嵌合により、ケース２０が自然落下することはない。（請求項４）
【符号の説明】
【００２１】
１  ボルト
２  被締結部材
３  被締結部材
１０  ナット部材
１１  雌ねじ部
１２  座部
１３  平面
１４  平面
１５  斜面
１６Ａ  溝部
１６Ｂ  溝部
１７  平面
１８  弾性部
１９  凸部
２０  ケース
２１  内面
２２  平面
２３  平面
２４  斜面
２５  斜面
２６  弾性部
２７  ツメ
２８  内側平面
２９  凹部
【図１】
2011179520.tif 000003
【図２】
2011179520.tif 000004
【図３】
2011179520.tif 000005
【図４】
2011179520.tif 000006